(57)【要約】【課題】つり合いおもりの整風効果を高め、かつバッファ作動時にバッファをつり合いおもり内部へ進入させることができるエレベータのつり合いおもりを提供する。【解決手段】エレベータのつり合いおもり２は、おもり本体２ａと、おもり本体２ａの下方に位置する下部カバー５と、下部カバー５に対向するかご側カバー３とを備えている。下部カバー５には傾斜部整風開閉カバー８が設けられ、かご側カバー３にはかご側整風開閉カバー９が設けられている。バッファ６が傾斜部整風開閉カバー８に当接した場合、傾斜部整風開閉カバー８が内側に開き、傾斜部整風開閉カバー８がかご側整風開閉カバー９を押圧して外方へ開く。【選択図】  図１
2005035717.tif 000002
【特許請求の範囲】
【請求項１】
おもり本体と、
おもり本体の下方に位置し第１開閉カバーを有する下部カバーと、この下部カバーに対向するとともに第２開閉カバーを有し、おもり本体のかご側に配置されたかご側カバーとを備え、
第１開閉カバーが内側へ開いたとき、この第１開閉カバーに連動して第２開閉カバーが外側へ開くことを特徴とするエレベータのつり合いおもり。
【請求項２】
下部カバーの第１開閉カバーが、かご側カバーの第２開閉カバーを押し開くことを特徴とする請求項１に記載のエレベータ。
【請求項３】
下部カバーおよびかご側カバーに、各々第１開閉カバーと第２開閉カバーを復帰させるため、バネが設けられていることを特徴とする請求項１に記載のエレベータ。
【請求項４】
下部カバーの第１開閉カバー、およびかご側カバーの第２開閉カバーの自由端部は面取りされていることを特徴とする請求項１に記載のエレベータ。
【請求項５】
第１開閉カバーおよび第２開閉カバーは各々、おもり本体の両側に独立して設けられた一対のカバー部分からなることを特徴とする請求項１に記載のエレベータ。
【請求項６】
下部カバーの第１開閉カバーに、かご側カバーの第２開閉カバーに当接するローラーを設けたことを特徴とする請求項１に記載のエレベータ。
【請求項７】
かご側カバーの第２開閉カバーのうち、下部カバーの第１開閉カバーに当接する接触面に低摩擦材を設けたことを特徴とする請求項１に記載のエレベータ。
【請求項８】
下部カバーの第１開閉カバーおよびかご側カバーの第２開閉カバーのいずれか一方に、他方と係合する係合部を設けたことを特徴とする請求項１に記載のエレベータ。
【請求項９】
下部カバーの第１開閉カバーおよびかご側カバーの第２開閉カバーのいずれか一方に、他方と密着する磁石を設け、他方を磁性体から形成したことを特徴とする請求項１に記載のエレベータ。
【請求項１０】
下部カバーおよびかご側カバーに、各々第１開閉カバーおよび第２開閉カバーの開き止めストッパを設けたことを特徴とする請求項１に記載のエレベータ。
【発明の詳細な説明】
【０００１】
【発明の属する技術分野】
本発明は、整風カバーを有するエレベータのつり合いおもりに係り、とりわけバッファ作動時に適切に対応することができるエレベータのつり合いおもりに関する。
【０００２】
【従来の技術】
従来のつり合いおもりを図６乃至図８に示す。図６に示すように、エレベータでは、かご１とつり合いおもり２がすれ違う際に、かご１とつり合いおもり２との間の空気乱流によってかご１に対して振動や騒音が生じるという問題があり、エレベータが高速になるほどこの問題は顕著になってしまう。
【０００３】
そこで、通常高速エレベータのつり合いおもりは、振動および騒音を低減させるためにかご側カバー３と、上部カバー４と、下部カバー５とからなる整風カバーを有している。かご側カバー３はかご１への振動、騒音を緩和するものであり、下部カバー５は、かご１とつり合いおもり２が昇降し、すれ違う時に生じる風をかご側側面に入らないように逃がす役割を担っている。これにより、かご側側面に入る風を低減させ、すれ違い時の風圧によってかご１が振動するのを防ぐようになっている。
【０００４】
図７に示すように、つり合いおもり２の下部には、バッファ６を受ける水平に配置されたバッファ受け７がある。バッファ６の作動時にバッファ６が下部カバー５と衝突してしまうため、整風カバーの機能を維持したままバッファ６と下部カバー５との衝突を防ぐため、整風カバーのバッファ衝突部に開閉自在の傾斜部整風開閉カバー８が設けられている（例えば特許文献１参照）。
【０００５】
【特許文献１】
特願２００２−３８１８５１号公報
【０００６】
【発明が解決しようとする課題】
ところでエレベータの速度と共に、風の影響に直接関わるものとして、かご１およびつり合いおもり２の進行方向に直交する面の投影面積がある。投影面積が大きくなるほど風の抵抗を受ける面積が大きくなり、かご１とつり合いおもり２との間に入りこむ風が増してかご１に対する振動や騒音に繋がるため、つり合いおもり２はできるだけ薄形にする必要がある。また、レイアウトによってつり合いおもり２の幅を削減する必要がある場合もある。
【０００７】
そこでこれらのことを考慮して、従来のつり合いおもり２を薄形化しようとした場合、図８に示すようにバッファ６が作動して傾斜部整風開閉カバー８が開くと、斜線部分８ａがかご側カバー３と干渉してしまうため、つり合いおもり２の薄形化および下部カバー５の傾斜角度に制限がある。
【０００８】
一方、傾斜部整風カバー８の動作により、かご側カバー３を破壊させる方法も考えられるが、この場合はかご側カバー３の破片が飛散し、他の機器に支障をきたす可能性があり、また、バッファ６が作動時毎にかご側カバー３を交換する必要が生じるため、信頼性を欠くことになる。
【０００９】
本発明はこのような点を考慮してなされたものであり、バッファ作動時に適切に対応できる整風カバーを有するエレベータのつり合いおもりを提供することを目的とする。
【００１０】
【課題を解決するための手段】
本発明は、おもり本体と、おもり本体の下方に位置し第１開閉カバーを有する下部カバーと、この下部カバーに対向するとともに第２開閉カバーを有し、おもり本体のかご側に配置されたかご側カバーとを備え、第１開閉カバーが内側へ開いたとき、この第１開閉カバーに連動して第２開閉カバーが外側へ開くことを特徴とするエレベータのつり合いおもりである。
【００１１】
本発明は、下部カバーの第１開閉カバーが、かご側カバーの第２開閉カバーを押し開くことを特徴とするエレベータである。
【００１２】
本発明は、下部カバーおよびかご側カバーに、各々第１開閉カバーと第２開閉カバーを復帰させるため、バネが設けられていることを特徴とするエレベータである。
【００１３】
本発明は、下部カバーの第１開閉カバー、およびかご側カバーの第２開閉カバーの自由端部は面取りされていることを特徴とするエレベータである。
【００１４】
本発明は、第１開閉カバーおよび第２開閉カバーは各々、おもり本体の両側に独立して設けられた一対のカバー部分からなることを特徴とするエレベータである。
【００１５】
本発明は、下部カバーの第１開閉カバーに、かご側カバーの第２開閉カバーに当接するローラーを設けたことを特徴とするエレベータである。
【００１６】
本発明は、かご側カバーの第２開閉カバーのうち、下部カバーの第１開閉カバーに当接する接触面に低摩擦材を設けたことを特徴とするエレベータである。
【００１７】
本発明は、下部カバーの第１開閉カバーおよびかご側カバーの第２開閉カバーのいずれか一方に、他方と係合する係合部を設けたことを特徴とするエレベータである。
【００１８】
本発明は、下部カバーの第１開閉カバーおよびかご側カバーの第２開閉カバーのいずれか一方に、他方と密着する磁石を設け、他方を磁性体から形成したことを特徴とするエレベータである。
【００１９】
本発明は、下部カバーおよびかご側カバーに、各々第１開閉カバーおよび第２開閉カバーの開き止めストッパを設けたことを特徴とするエレベータである。
【００２０】
【発明の実施の形態】
以下、図面を参照して本発明の実施の形態について説明する。図１乃至図３は本発明によるエレベータのつり合いおもりの一実施の形態を示す図である。
【００２１】
図１に示すようにエレベータのつり合いおもり２は、おもり本体２ａと、おもり本体２ａの下方に位置する下部カバー５と、下部カバー５に対向するとともに、おもり本体２ａのかご１（図６参照）側に配置されたかご側カバー３とを備えている。
【００２２】
このうち下部カバー５には、開閉自在の傾斜部整風開閉カバー（第１開閉カバー）８が設けられ、かご側カバー３には、開閉自在のかご側整風開閉カバー（第２開閉カバー）９が設けられている。
【００２３】
そして傾斜部整風開閉カバー８が内側に開いたとき、この傾斜部整風開閉カバー８に連動してかご側整風開閉カバー９も外側へ開くようになっている。
【００２４】
次に傾斜部整風開閉カバー８およびかご側整風開閉カバー９について更に説明する。
【００２５】
図１に示すように、おもり本体２ａの下部に、下部カバー５がおもり本体２ａを覆うように取り付けてあり、下部カバー５にはバッファ６との接触面に、傾斜部整風開閉カバー８が回転自在に取り付けられている。また、かご側カバー３のうち、傾斜部整風開閉カバー８が干渉する部分には、かご側整風開閉カバー９が回転自由にかご側カバー３に取り付けられている。
【００２６】
通常走行時、下部カバー５の傾斜部整風開閉カバー８は閉じていて整風の役割を行うが、バッファ６の作動時にはバッファ６との衝突により傾斜部整風開閉カバー８が開く。このことにより、下部カバー５を破壊することなくバッファ受け７にバッファ６を受けさせることができる。このとき、かご側カバー３には傾斜部整風開閉カバー８と干渉する部分に回転自由なかご側整風開閉カバー９が設けられているので、かご側カバー３を破壊することなく傾斜部整風開閉カバー８を開くことができる。
【００２７】
また、傾斜部整風開閉カバー８およびかご側整風開閉カバー９の素材を柔軟材、例えばゴム製とすることにより、バッファ６の衝突時の衝撃を緩和することができる。
【００２８】
また図１に示すように、バッファ６の作動後、傾斜部整風開閉カバー８およびかご側整風開閉カバー９が元の位置に復帰できるよう、傾斜部整風開閉カバー８およびかご側整風開閉カバー９にコイルバネ等のバネ１０が設けられている。
【００２９】
さらに傾斜部整風開閉カバー８およびかご側整風開閉カバー９は、図２（ａ）（ｂ）に示すように、おもり本体２ａの両側（左右）に独立して設けられた一対のカバー部分８ａ，８ｂおよび９ａ，９ｂからなっている。このように傾斜部整風開閉カバー８およびかご側整風開閉カバー９が各々カバー部分８ａ、８ｂ、９ａ、９ｂからなっているので、バッファ６の作動時および復帰時において、傾斜部整風開閉カバー８およびかご側整風開閉カバー９の開閉をスムーズに行なうことができる。
【００３０】
さらに、図１に示すように傾斜部整風開閉カバー８のうち、かご側整風開閉カバー９との接触部分にローラー１２が取り付けられている。このローラー１２はバッファ６の作動時に傾斜部整風開閉カバー８がかご側整風開閉カバー９を押し開く際、スムースに傾斜部整風開閉カバー８によりかご側整風開閉カバー９を開くためのものである。
【００３１】
また図１のように、ローラー１２に替えてあるいはローラー１２とともに傾斜部整風開閉カバー８によりかご側整風開閉カバー９をスムースに開くため、かご側整風開閉カバー９にフッ素シートまたはフッ素塗布面からなる低摩擦材１３を設けてもよい。
【００３２】
次にこのような構成からなる本実施の形態の作用について説明する。
【００３３】
つり合いおもり２のおもり本体２ａが下部カバー５、かご側カバー３、傾斜部整風開閉カバー８およびかご側整風開閉カバー９からなる整風カバーにより覆われているので、つり合いおもりの上下方向の走行時において振動や騒音の発生を防止できる。
【００３４】
また、下部カバー５に傾斜部整風開閉カバー８が回転自由に支持されているので、バッファ６が傾斜部整風開閉カバー８に接触した場合、傾斜部整風開閉カバー８が内側に開き、バッファ６は傾斜部整風開閉カバー８内に進入し、バッファ受け７に当る。このとき、かご側整風開閉カバー９もまた、かご側カバー３に回転自由に支持されているので、傾斜部整風開閉カバー８が開くのと連動してかご側整風開閉カバー９も外側へ開き、傾斜部整風開閉カバー８はかご側カバー３と干渉することなく内側へ開くことができる。このためバッファ６の衝突部であっても整風効果が期待でき、かご側カバー３が破壊されることはない。
【００３５】
このようにバッファ６の衝突部にも下部カバー５およびかご側カバー３が維持されるので、整風効果が向上する。またかご側整風開閉カバー９を取り付けることによりつり合いおもり２を薄形化することができ、整風効果の向上と共に、レイアウト上の収まり等の問題にも対応し易い。
【００３６】
またバッファ６の動作により、下部カバー５またはかご側カバー３が破壊されて昇降路内に飛散することが無く、他の機器に支障をきたさないので、信頼性が向上する。また、破壊された下部カバー５またはかご側カバー３を交換する必要が無くなるので、低コスト化が可能となる。
【００３７】
ところで、バッファ６の作動時に傾斜部整風開閉カバー８がかご側整風開閉カバー９を直接押し開くことにより、かご側整風開閉カバー９が開くようになっている。
【００３８】
このため、かご側整風開閉カバー９を開かせるための機構が不要となり、下部カバー５、かご側カバー３、傾斜部整風開閉カバー８およびかご側整風開閉カバー９からなる整風カバーの構造を簡略化でき、低コスト化が可能となる。
【００３９】
次にバッファ６復帰時において傾斜部整風開閉カバー８およびかご側整風開閉カバー９が各々バネ１０の力で自動的に戻る。これにより、つり合いおもり２の走行時の風圧による傾斜部整風開閉カバー８およびかご側整風開閉カバー９のびびりを抑制できる。
【００４０】
またバッファ６の復帰時に傾斜部整風開閉カバー８およびかご側整風開閉カバー９が回転部のせり等によって戻りにくくなっていてもバネ１０の力で自動的に復帰することができ、常に整風効果のある形状に保持できるので信頼性が向上する。また、バッファ６の復帰時に傾斜部整風開閉カバー８およびかご側整風開閉カバー９も自動復帰するので、バッファ６の復帰後に傾斜部整風開閉カバー８およびかご側整風開閉カバー９を復帰させるための保守作業を軽減できる。
【００４１】
以上のように本実施の形態によれば、バッファ６の作動時にバッファ６が傾斜部整風開閉カバー８を内側に開き、バッファ６をバッファ受け７に当接させることができる。この場合、傾斜部整風開閉カバー８がかご側整風開閉カバー９を押し開くので、傾斜部整風開閉カバー８がかご側カバー３に当接して破損することはない。
【００４２】
また、傾斜部整風開閉カバー８とかご側整風開閉カバー９の自由端部１１に面取りを形成したので、バッファ６の作動時に傾斜部整風開閉カバー８とかご側整風開閉カバー９の開閉をスムースに行なうことができる。また、バッファ６の作動後、傾斜部整風開閉カバー８とかご側整風開閉カバー９が閉じる際に、傾斜部整風開閉カバー８の自由端部１１がかご側整風開閉カバー９の表面にひっかかって、傾斜部整風開閉カバー８が閉じなくなるということがない。
【００４３】
さらにまた、傾斜部整風開閉カバー８およびかご側整風開閉カバー９が各々一対のカバー部分８ａ，８ｂおよび９ａ，９ｂからなるので、左右それぞれのカバー部分８ａ，８ｂ，９ａ，９ｂをひとつのユニットとして扱うことができ、高強度、軽量化が可能となって、より高速な衝突にも耐え得る。また、左右独立にすることで、補強のために左右のユニットを連結する梁を必要としないので、バッファ６の直径程度までつり合いおもり２を薄形化することができる。
【００４４】
さらに左右の独立したユニットとしてカバー部分８ａ，８ｂ，９ａ，９ｂを扱うことができるので、据付調整が容易になるとともに、つり合いおもり２を薄形化できるので、より信頼性の高い整風カバーが提供できる。またレイアウト上の収まりも良好に対応できる。
【００４５】
次に図４により本発明の変形例について説明する。
【００４６】
図４（ａ）（ｂ）に示すように、かご側整風開閉カバー９の端部につめ（係合部）１４を取り付け、このつめ１４に傾斜部整風開閉カバー８を引っかけてもよい。つり合いおもり２の走行時、傾斜部整風開閉カバー８およびかご側整風開閉カバー９をつめ１４により連結して固定する。またつめ９で引っかけることによってバッファ６の作動後、傾斜部整風開閉カバー８およびかご側整風開閉カバー９が閉じる際、傾斜部整風開閉カバー８の戻り力によりかご側整風開閉カバー９を閉じることができる。
【００４７】
図４において、図１乃至図３に示す実施の形態と同一部分には同一符号を付して詳細な説明は省略する。
【００４８】
また傾斜部整風開閉カバー８とかご側整風開閉カバー９をつめ１４で係合することによって、傾斜部整風開閉カバー８とかご側整風開閉カバー９のぐらつきを防ぐことができる。
【００４９】
さらにつめ１４により傾斜部整風開閉カバー８とかご側整風開閉カバー９を適切な位置で固定できるので、傾斜部整風開閉カバー８とかご側整風開閉カバー９がぐらつくことなく、整風効果を高めることができ、また、構造が比較的安価に傾斜部整風開閉カバー８とかご側整風開閉カバー９を係合させることができる。
【００５０】
さらに図４（ｃ）に示すようにかご側整風開閉カバー９の端部につめ１４を設ける替わりに、磁石１５をかご側整風開閉カバー９に設けるとともに傾斜部整風開閉カバー８を磁性体により形成し、傾斜部整風開閉カバー８とかご側整風開閉カバー９を連結して、傾斜部整風開閉カバー８とかご側整風開閉カバー９の位置を保持、固定してもよい。
【００５１】
ここで図４（ｂ）（ｃ）は、各々図４（ａ）のＸ方向矢視図である。
【００５２】
次に図５により本発明の他の変形例について説明する。
【００５３】
図５に示すように、つり合いおもり２の停止時および通常走行時において、傾斜部整風開閉カバー８が自重によって下方に開くことのないよう図５に示すように、下部カバー５に開き止めバー（開き止めストッパ）１６を取り付けてもよい。
【００５４】
図５において、図１乃至図３に示す実施の形態と同一部分には同一符号を付して詳細な説明は省略する。
【００５５】
図５において、傾斜部整風開閉カバー８自体の重みで、傾斜部整風開閉カバー８が下方向に開くことを防ぐことができる。また、傾斜部整風開閉カバー８の左右のカバーを部分８ａ，８ｂをバー１６により連結することで下部カバー５全体の剛性がアップする。
【００５６】
本実施の形態によれば、つり合いおもり２の走行時、傾斜部整風開閉カバー８が開かないため、整風効果が向上する。
【００５７】
【発明の効果】
以上説明したように、本発明によればつり合いおもりの整風効果を高めることができる。同時にバッファ作動時において、バッファにより第１開閉カバーを内側へ開き、この第１開閉カバーと連動させて第２開閉カバーを外方へ開くことにより、カバーを破損させることなく、バッファをつり合いおもり内部へ進入させることができる。
【図面の簡単な説明】
【図１】本発明によるエレベータのつり合いおもりの一実施の形態を示す概略側面図。
【図２】傾斜部整風開閉カバーとかご側整風開閉カバーを示す図。
【図３】つり合いおもりを示す斜視図。
【図４】エレベータのつり合いおもりの変形例を示す図。
【図５】エレベータのつり合いおもりの他の変形例を示す図。
【図６】一般的なエレベータのかごとつり合いおもりの動きを示した図。
【図７】従来のつり合いおもりの整風カバーを示す図。
【図８】従来のつり合いおもりの整風カバーを示す図。
【符号の説明】
１  かご
２  つり合いおもり
２ａ  おもり本体
３  かご側カバー
５  下部カバー
６  バッファ
７  バッファ受け
８  傾斜部整風開閉カバー
９  かご側整風開閉カバー
１０  バネ
１１  自由端部
１２  ローラー
１３  低摩擦材
１４  つめ
１５  磁石
１６  開き止めバー
【図１】
2005035717.tif 000003
【図２】
2005035717.tif 000004
【図３】
2005035717.tif 000005
【図４】
2005035717.tif 000006
【図５】
2005035717.tif 000007
【図６】
2005035717.tif 000008
【図７】
2005035717.tif 000009
【図８】
2005035717.tif 000010